(57)【要約】【課題】設置作業者が、チャイルドシートの角度を的確にかつ容易に視認しながらチャイルドシートを座席に確実に設置することができる角度計付きのチャイルドシートおよび角度計を提供すること。【解決手段】角度計付きのチャイルドシート１０の座席部１３またはベース部１１の一方の側面には、チャイルドシートの設置角度を示す角度計２０が設けられて、角度計２０は中心点を有する略円形とされ、中心点からみて少なくとも半径方向外側部分における少なくとも両端の領域が中心点を中心とする円周方向に拡げて形成されている基板側角度表示部４７を有する基板４０と、基板４０の中心点を中心に回転可能に支持する回転支持手段７１と、基板側角度表示部４７と略同等の範囲に形成されている可動側角度表示部４９を有する回転体４１とを備え、基板４０または回転体４１の一方が基板４０または回転体４１の他方に形成された少なくとも角度表示部を透視可能である。【選択図】        図７
2005022532.tif 000002
【特許請求の範囲】
【請求項１】
車両の座席に着脱可能に設置されるチャイルドシートであって、座席部と前記座席部を保持するベース部を有する角度計付きの前記チャイルドシートにおいて、
前記座席部または前記ベース部の一方の側面には、前記チャイルドシートの設置角度を示すための角度計が設けられており、
前記角度計は、
中心点を有する略円形とされており、前記中心点からみて少なくとも半径方向外側部分であって、前記中心点を中心とする円周方向に拡げた領域における少なくとも両端の領域に形成されている基板側角度表示部を有する前記基板と、
前記基板の前記中心点を中心に回転可能に支持する回転支持手段と、前記基板側角度表示部と略同等の範囲に形成されている可動側角度表示部とを有する回転体と、を備え、
前記基板または前記回転体の一方が、前記基板または前記回転体の他方に形成された少なくとも角度表示部を透視可能な構成であることを特徴とする角度計付きのチャイルドシート。
【請求項２】
前記基板側角度表示部は、半径方向の外側部分の円周方向に沿った所定領域に渡って角度表示部が形成されており、
前記可動側角度表示部は、前記中心点側であって前記中心点より半径方向外側に向かう内側部分と、前記半径方向外側であって、前記内側部分よりも幅広とされた角度表示部である外側部分から構成されており、
前記基板側角度表示部が、前記可動側角度表示部よりも半径方向外周領域において、僅かに幅広とされていることを特徴とする請求項１に記載の角度計付きチャイルドシート。
【請求項３】
前記座席部または前記ベース部には、前記チャイルドシートの前記座席部の背面部と略平行な第１位置決め部が設けられ、前記基板には第２位置決め部が設けられており、
前記第１位置決め部と前記第２位置決め部が一致するように、前記角度計が前記座席部の前記側面または前記ベース部の前記側面に配置され、
前記基板側角度表示部の一方の端部が、前記第２位置決め部の近傍に配置されたことを特徴とする請求項１に記載の角度計付きのチャイルドシート。
【請求項４】
前記角度計を前記ベース部または前記座席部の一方の前記側面と他方の前記側面の少なくとも一方に対して着脱可能に配置するための着脱部を有しており、
前記着脱部は、前記角度計を前記中心点を中心とする円周方向に関する配置位置に制限して前記角度計の配置位置を確定するための配置位置確定部を有していることを特徴とする請求項１に記載の角度計付きのチャイルドシート。
【請求項５】
車両の座席に着脱可能であり座席部と前記座席部を保持するベース部を有するチャイルドシートに取り付けられて、前記チャイルドシートの設置角度を示すための角度計において、
前記角度計は、
中心点を有する略円形とされており、前記中心点からみて少なくとも半径方向外側部分であって、前記中心点を中心とする円周方向に拡げた領域における少なくとも両端の領域に形成されている基板側角度表示部を有する前記基板と、
前記基板の前記中心点を中心に回転可能に支持する回転支持手段と、前記基板側角度表示部と略同等の範囲に形成されている可動側角度表示部とを有する回転体と、を備え、
前記基板または前記回転体の少なくとも一方が、前記基板または前記回転体の他方に形成された少なくとも角度表示部を透視可能になるように構成され、
前記角度計の裏面には、前記角度計を前記チャイルドシートに取り付けるための取り付け手段が設けられていることを特徴とする角度計。
【発明の詳細な説明】
【０００１】
【発明の属する技術分野】
本発明は、たとえば乗用車などの車両の座席に着脱可能に設置されて、設置角度を明確に表示することができる角度計付きのチャイルドシートおよび角度計に関するものである。
【０００２】
【従来の技術】
車両、たとえば乗用車などの座席は、通常、大人が着席するようにつくられていることから、この座席に装備されるシートベルトは、子供や特に乳幼児の小さな身体に適合していない。
このため、乗用車などの座席にはチャイルドシートやベビーシートと呼ばれる補助シートが装着され、このチャイルドシートに乳幼児を座らせて、シートベルトなどの乗用車が有する固定機能によって、チャイルドシートを座席に固定することで、チャイルドシートに小さな身体を固定するようにしている。
【０００３】
この種のチャイルドシートの種類の中で、特に座れない乳幼児用のベビーシートと呼ばれるチャイルドシートは、乳幼児の身体を適切な姿勢で保持できるよう、座席に対して所定の角度で設置する必要が高い。このように設置作業者がチャイルドシートを座席に設置する場合に、乗用車内の狭い空間で作業を行わなければならないこともあり、チャイルドシートの設置角度が目視では分かりづらく、設置作業者が適切な設置角度でチャイルドシートを座席に対して設置することが難しい。
このため、設置角度を表示することができる角度計付きのチャイルドシートが提案されている（たとえば特許文献１、特許文献２および特許文献３。）。
【０００４】
【特許文献１】
特公平８−２０２５０号公報（第１頁乃至第３頁、図１）
【特許文献２】
特開平１１−２９１７９９号公報（第７頁乃至第８頁、図１５乃至図２２）
【特許文献３】
特開２００２−２１１２８９号公報（第４頁乃至第５頁、図２乃至図５）
【０００５】
【発明が解決しようとする課題】
ところが、上述した従来の角度計付きのチャイルドシートでは、次のような問題がある。
従来の各角度計付きのチャイルドシートは、各種の車種の乗用者の座席に対してチャイルドシートを取り付ける際に、限られた乗用車内という空間で、厳しい姿勢にならなければ装着ができず、さらにシートベルトなどを使用しなければ装着できないなど、チャイルドシートを座席に取り付けづらいことに伴って、設置作業者が角度計を的確に視認しづらく、角度計を見ながらチャイルドシートを座席に対して適切な角度で視認しながら設置することが難しい。このためにチャイルドシートは適切に設置することが難しかった。
そこで本発明は上記課題を解消し、チャイルドシートの設置作業者が、チャイルドシートの角度を的確にかつ容易に視認しながらチャイルドシートを座席に対して確実に設置することができる角度計付きのチャイルドシートおよび角度計を提供することを目的としている。
【０００６】
【課題を解決するための手段】
第１の発明は、車両の座席に着脱可能に設置されるチャイルドシートであって、座席部と前記座席部を保持するベース部を有する角度計付きの前記チャイルドシートにおいて、前記座席部または前記ベース部の一方の側面には、前記チャイルドシートの設置角度を示すための角度計が設けられており、前記角度計は、中心点を有する略円形とされており、前記中心点からみて少なくとも半径方向外側部分であって、前記中心点を中心とする円周方向に拡げた領域における少なくとも両端の領域に形成されている基板側角度表示部を有する前記基板と、前記基板の前記中心点を中心に回転可能に支持する回転支持手段と、前記基板側角度表示部と略同等の範囲に形成されている可動側角度表示部とを有する回転体と、を備え、前記基板または前記回転体の一方が、前記基板または前記回転体の他方に形成された少なくとも角度表示部を透視可能な構成であることを特徴とする角度計付きのチャイルドシートである。
【０００７】
上記構成によれば、チャイルドシートの角度を示すための角度計は、座席部またはベース部の一方の側面に設けられる。この角度計は、基板と回転体を備えている。
基板は、中心点を有する略円形とされている。この基板は、基板側角度表示部を有している。基板側角度表示部は、中心点から見て少なくとも半径方向外側部分であって、その角度表示部における少なくとも両側が中心点を中心とする円周方向に拡げて形成されている。
回転体は、回転指示手段と可動側角度表示部を有している。回転体の回転指示手段は、基板の中心点を中心に回転可能に支持する。回転体の各可動側角度表示部は、基板側角度表示部と略同様の範囲に形成されている。
この基板または回転体の一方が、基板または回転体の他方に形成された少なくとも角度表示部を透視可能になる構成である。
【０００８】
これにより、チャイルドシートの設置作業者はチャイルドシートを座席に設置する際に、座席部またはベース部の一方の側面に設けられた角度計を簡単に見ることができる。そして、チャイルドシートの設置作業者は、回転体の可動側角度表示部と、可動側角度表示部と略同等の範囲に形成された基板側角度表示部の中心点を中心とする回転方向に関する重なり具合を視認するだけで、簡単にチャイルドシートの座席に対する設置時の角度を的確に認識することができる。つまり、設置作業者は、基板側角度表示部と、この基板側角度表示部と略同等の範囲に形成されている可動側角度表示部との重なり合いを、透視しながら確認することにより、チャイルドシートの角度を確実かつ簡単に視認することができる。このことから、設置作業者はチャイルドシートの設置を適切な角度で容易に行うことができる。
特に、基板側または可動側角度表示部を透視しながら確認可能とすると共に、その各角度表示部が外周部分であって、円周方向に拡げた領域に形成しているため、従来技術の角度計に比べ視認して調整する角度表示部の面積をより広く取ることとなり、サイン性がより強調されるという効果によって、チャイルドシートの設置角度をより確実に調整することができる。
【０００９】
第２の発明は、第１の発明の構成において、前記基板側角度表示部は、半径方向の外側部分の円周方向に沿った所定領域に渡って角度表示部が形成されており、前記可動側角度表示部は、前記中心点側であって前記中心点より半径方向外側に向かう内側部分と、前記半径方向外側であって、前記内側部分よりも幅広とされた角度表示部である外側部分から構成されており、前記基板側角度表示部が、前記可動側角度表示部よりも半径方向外周領域において、僅かに幅広とされていることを特徴とする。
上記構成によれば、基板側の角度表示部が、半径方向の外側部分における円周方向に沿った所定領域に渡って基板側角度表示部が形成されて、可動側角度表示部の外側部分が、基板側角度表示部よりも僅かに狭い範囲とされた可動側角度表示部とされている。
これにより、基板側角度表示部と可動側角度表示部は、それぞれ角度計の半径方向外側領域の外周に沿って形成されていることで、設置者にとっては視認性が高まり、広い範囲同士が一定の範囲内に配置されるように調整を行いやすい。
さらに、チャイルドシートに固定された基板側角度表示部側が、回動する可動側角度表示部よりも僅かに大きくされていることで、設置者による視認性がさらに高まり、確実に適切な角度による設置を行いやすい。
【００１０】
第３の発明は、第１の発明の構成において、角度計付きのチャイルドシート  前記座席部または前記ベース部には、前記チャイルドシートの前記座席部の背面部と略平行な第１位置決め部が設けられ、前記基板には第２位置決め部が設けられており、前記第１位置決め部と前記第２位置決め部が一致するように、前記角度計が前記座席部の前記側面または前記ベース部の前記側面に配置され、前記基板側角度表示部の一方の端部が、前記第２位置決め部の近傍に配置されたことを特徴とする。
【００１１】
上記構成によれば、座席部またはベース部には、チャイルドシートの座席部の背面部と略平行な第１位置決め部が設けられている。そして基板には第２位置決め部が設けられている。
この第１位置決め部と第２位置決め部が一致するようにして、角度計が座席部の側面またはベース部の側面に配置される。基板側角度表示部の一方の端部が、第２位置決め部の近傍に配置されている。
【００１２】
これにより、角度計を座席部の側面またはベース部の側面に配置する際に、第１位置決め部と第２位置決め部が一致するようにすればよいので、角度計は座席部の側面またはベース部の側面に対して簡単かつ確実に位置決めして配置できる。しかも、基板側角度表示部の一方の端部が第２位置決め部の近傍に配置されている。このことから、角度計付きのチャイルドシートを製造する際に、チャイルドシートに対して角度計を配置する場合に、角度計はチャイルドシートに対して正確に回転方向に関して製造作業者の目視により確実に配置することができるのである。さらに、各位置決め部が座席部の背面部と略平行にされているため、乳幼児の背中が配置される背面部を約４５゜の角度になるようチャイルドシートを設置し、調整するに当って、設置者は各位置決め部も参考とすることができる。
【００１３】
第４の発明は、第１の発明の構成において、角度計付きのチャイルドシートをは、前記角度計を前記ベース部または前記座席部の一方の前記側面と他方の前記側面の少なくとも一方に対して着脱可能に配置するための着脱部を有しており、前記着脱部は、前記角度計を前記中心点を中心とする円周方向に関する配置位置をに制限して前記角度計の配置位置を確定するための配置位置確定部を有していることを特徴とする。
【００１４】
上記構成によれば、着脱部は、角度計をベース部または座席部の一方の側面と他方の側面の少なくとも一方に対して着脱可能に配置するためのものである。この着脱部は、角度計を中心点を中心とする円周方向に関する配置位置をに制限して、角度計の配置位置を確定するための配置位置確定部を有している。
これによって、角度計はチャイルドシートに対して、回転方向に関して正しい配置位置に確実に配置することができ、角度計は回転方向に関して誤った配置位置に配置されるのを確実に防ぐことができる。
しかも、角度計は、ベース部の一方の側面または他方の側面の少なくとも一方に対して着脱部を用いて着脱可能に配置できることから、座席に対してチャイルドシートの向きに応じて、または、チャイルドシートの設置位置（たとえば乗用車における右側（運転席側）または左側（助手席側））に応じて、チャイルドシートの設置作業者はチャイルドシートの見やすい側面に角度計を付け替えることができるので、設置作業者のために角度計の視認性を上げてチャイルドシートの設置作業時における角度の設定作業を容易にすることができる。
【００１５】
第５の発明は、車両の座席に着脱可能であり座席部と前記座席部を保持するベース部を有するチャイルドシートに取り付けられて、前記チャイルドシートの設置角度を示すための角度計において、前記角度計は、中心点を有する略円形とされており、前記中心点からみて少なくとも半径方向外側部分であって、前記中心点を中心とする円周方向に拡げた領域における少なくとも両端の領域に形成されている基板側角度表示部を有する前記基板と、前記基板の前記中心点を中心に回転可能に支持する回転支持手段と、前記基板側角度表示部と略同等の範囲に形成されている可動側角度表示部とを有する回転体と、を備え、前記基板または前記回転体の少なくとも一方が、前記基板または前記回転体の他方に形成された少なくとも角度表示部を透視可能になるように構成され、前記角度計の裏面には、前記角度計を前記チャイルドシートに取り付けるための取り付け手段が設けられていることを特徴とする角度計である。
【００１６】
上記構成によれば、チャイルドシートの角度を示すための角度計は、座席部またはベース部の一方の側面に設けられる。この角度計は、基板と回転体を備えている。
基板は、中心点を有する略円形とされている。この基板は、基板側角度表示部を有している。基板側角度表示部は、中心点から見て少なくとも半径方向外側部分であって、その角度表示部における少なくとも両側が中心点を中心とする円周方向に拡げて形成されている。
回転体は、回転指示手段と可動側角度表示部を有している。回転体の回転指示手段は、基板の中心点を中心に回転可能に支持する。回転体の各可動側角度表示部は、基板側角度表示部と略同様の範囲に形成されている。
この基板または回転体の一方が、基板または回転体の他方に形成された少なくとも角度表示部を透視可能になる構成である。
しかも、角度計の裏面には、角度計をチャイルドシートに取り付けるための取り付け手段が設けられている。このことから、設置作業者は、角度計をチャイルドシートに対してチャイルドシートの座席に対する設置の向きに応じて角度計を取り付け手段を用いて取り付けることができる。
【００１７】
これにより、チャイルドシートの設置作業者はチャイルドシートを座席に設置する際に、座席部またはベース部の一方の側面に設けられた角度計を簡単に見ることができる。そして、チャイルドシートの設置作業者は、回転体の可動側角度表示部と、可動側角度表示部と略同等の範囲に形成された基板側角度表示部の中心点を中心とする回転方向に関する重なり具合を視認するだけで、簡単にチャイルドシートの座席に対する設置時の角度を的確に認識することができる。つまり、設置作業者は、基板側角度表示部と、この基板側角度表示部と略同等の範囲に形成されている可動側角度表示部との重なり合いを、透視しながら確認することにより、チャイルドシートの角度を確実かつ簡単に視認することができる。このことから、設置作業者はチャイルドシートの設置を適切な角度で容易に行うことができる。
特に、基板側または可動側角度表示部を透視しながら確認可能とすると共に、その各角度表示部が外周部分であって、円周方向に拡げた領域に形成しているため、従来技術の角度計に比べ視認して調整する角度表示部の面積をより広く取ることとなり、サイン性がより強調されるという効果によって、チャイルドシートの設置角度をより確実に調整することができる。
【００１８】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１９】
図１と図２は、本発明の角度計付きのチャイルドシートの好ましい実施形態を示している。
図１は、角度計付きのチャイルドシート１０の斜め前方から見た斜視図であり、図２は、角度計付きのチャイルドシート１０の斜め後方から見た斜視図である。
図１と図２に示す角度計付きのチャイルドシート１０は、車両の座席、たとえば乗用車の座席に対して着脱可能に設置することができるものである。この角度計付きのチャイルドシート１０は、乗用車のシートのシートベルトやその他の固定具を利用して座席に対して固定した状態で、乳幼児などを座らせて保持するためのものである。
角度計付きのチャイルドシート１０は、ベース部１１と、座席部１３と、そして角度計２０を備えている。
【００２０】
ベース部１１は、座席面に対して載せておく部分であり、たとえばプラスチックにより作られている。座席部１３は、ベース部１１の上に固定して設けられている。
角度計２０は、使用状況に応じて図１と図２の実施形態ではベース部１１の図１に示す第１側面１１Ａ、図２に示す第２側面１１Ｂのいずれか一方、もしくは両方同時に固定できる。
図１では、一例として角度計２０が第１側面１１Ａに設けられており、右側のドア側にチャイルドシート１０を配置した際に見やすい位置とされており、図２では第２側面１１Ｂに角度計２０が設けられて、左側のドア側に配置した際に見やすい位置とされている例が図示されている。たとえば図１に示す第１側面１１Ａのみに角度計２０が設けられていても良いし、図２に示すように第２側面１１Ｂのみに角度計２０が設けられていても勿論構わない。
【００２１】
また、角度計２０は、ベース部１１に限らず、座席部１３の第１側面１３Ａ、図２に示す座席１３の第２側面１３Ｂのいずれか一方もしくは両方同時に設けるようにしても勿論構わない。いずれにしても、角度計２０は着脱可能で設けても良いし、一度取り付けたら取れないようにしても良い。
ベース部１１は、アーム１５を備えていることが好ましい。このアーム１５は、角度計付きのチャイルドシート１０を、設置作業者（もしくは使用者）が持ち運びできるためのアームであり、このアーム１５は中心軸１５Ａを中心として１５Ｂ方向に回転できるようになっており、アーム１５の側面は座席部１３の第１側面１３Ａ、第２側面１３Ｂの一部とされている。
【００２２】
図１と図２に示す座席部１３は、図３と図４に示す設置例のように、たとえば乳幼児Ｍを座らせて保持する部分である。図３及び図４は、乗用車の後側の座席１９に対して後ろ向きに向けてシートベルト１９Ａを用いて固定した状態を示している。図３においては、乗用車の左側のドアを開けてＶ１方向から座席１９とチャイルドシート１０を見た状態を示しているが、図４では、乗用車の右側のドアを開けてＶ２の方向から座席１９とチャイルドシート１０を見た状態を示している。
【００２３】
図３と図４の座席１９は、たとえば乗用車の後席である。図５（Ａ）は、角度計付きのチャイルドシート１０が、乗用車の前側の座席１８（助手席）において後ろ向きの状態でシートベルト１８Ａを用いて固定された状態を示している。図５（Ｂ）は、図３に示すように、後ろ側の座席１９に対して後ろ向きに角度計付きのチャイルドシート１０が設置された状態を示している。
【００２４】
図１に戻ると、座席部１３は、背面部２１と、肩ベルト２３、バックル２４、股ベルトパッド２５、ロック解除レバー２６および調節ベルト２７などを有している。座席部１３は、シートカバー２８により覆われている。肩ベルト２３はベルトカバー２９を有している。肩ベルト２３は、乳幼児の肩からかけて、この肩ベルト２３はバックル２４側に着脱可能に連結して、乳幼児を保持できるようになっている。
【００２５】
図６と図７は、角度計の実施形態の具体的な構造を示している。
図６は、角度計２０の組み立て完成状態を示しており、図７は図６の角度計２０の分解斜視図である。
角度計２０は、基板４０と、回転体４１を有しており、基板４０は透明ケース４３を有している。基板４０は底板とも呼び、回転体４１は、透明な回転盤とも呼ぶことができる。
【００２６】
まず基板４０について説明する。
基板４０は、略円形状のものであり中央には中心点ＣＰを有している。基板４０の一方の面４５には、基板側角度表示部４７が形成されている。
この基板４０は、たとえば金属板やプラスチック板を使用することができ、透明、半透明あるいは不透明の材質のいずれであっても構わないが、この実施形態では不透明な材質により作られている。この材質としては、たとえば鉄や真ちゅう、などの金属やプラスチックである。
【００２７】
図７に示す回転体４１は、略円形状の部材であり、たとえば透明の材料、一例として透明のプラスチックにより作られている。透明のプラスチックの材料としては、たとえばアクリルを使用することができる。
回転体４１は、可動側角度表示部４９と、中心穴５１を有している。回転体４１の一方の側面５１Ａには、おもり５３が固定されている。このおもり５３は、たとえば真ちゅうにより作られていて、たとえば円形で板状の部材であって、その他にも長方形などの各種形状を選択できる。円形の中心穴５１は、基板４０の中心点ＣＰと対応する位置に形成されている。
なお、回転体４１が透明の材料の場合は、外観に配慮しておもり５３が見えないように外表面に塗装や印刷を付し、角度表示部４９のみ透明で残して透視できるようにしてもよいし、回転体４１に不透明な材料を用いて図７に示すように、可動側角度表示部４９を透孔で形成しても同様の効果を得ることができる。つまり、少なくとも可動側角度表示部４９を介して基板側角度表示部４７が視認できるよう形成されている。
【００２８】
透明ケース４３は、基板４０に対してたとえば接着により固定される部材である。透明ケース４３は、円形状の正面部５５と、周辺部５７を有している。この周辺部５７は、正面部５５の周囲に沿って形成されている。透明ケース４３の開口部５９の外部には、回転体４１が収容されるとともに、周辺部５７の端部は、基板４０に対してたとえば接着剤により固定されるようになっている。
なお、基板４０の有する透明ケース４３上に基板側角度表示部４７を形成し、回転体４１に設けられた可動側角度表示部４９について、基板側角度表示部４７を通して視認可能として構成してもよい。
【００２９】
図７に示す透明ケース４３の正面部５５の内面側には、軸部６１が突出して形成されている。
図８は、図６と図７に示す角度計２０の断面構造例を示している。透明ケース４３の軸部６１は、図７と図８に示す中心線ＣＬに沿って突出して形成されている。
図８に示すように、回転体４１の中心穴５１にはブッシュ６３がはめ込んで固定されている。透明ケース４３の軸部６１は、このブッシュ６３の穴を通り、基板４０の取り付け部分６５の穴に対してはめ込んで固定されている。なお、回転体４１の固定、回動方式はブッシュ６３を使用した形態に止まらず、各種回動係止形態を選択することができる。
これによって、回転体４１は、透明ケース４３と基板４０の間において、中心線ＣＬを中心として軸部６１により回転可能になっている。
【００３０】
図７と図８に示す回転体４１のおもり５３は、重力により回転方向Ｒに関して可動側角度表示部４９が真上にくるようにするためのおもりであって、中心穴５１を中心として、可動側角度表示部４９の対称位置に配置されている。
上述した透明ケース４３の軸部６１と、回転体４１のブッシュ６３は、基板４０の取り付け部分６５とケース４３に対して回転体４１を中心線ＣＬに沿って回転可能に支持するための回転支持手段７１を構成している。
【００３１】
図８に示すように基板４０の外側の側面７３は、図１に示すたとえばベース部１１の第１側面１１Ａもしくは第２側面１１Ｂに対して固定するための取り付け手段７５を有している。この取り付け手段７５は、たとえば両面テープのような接着部材または粘着部材である。これによって、角度計２０は、基板４０の側面７３側を第１側面１１Ａもしくは第２側面１１Ｂに対して貼り付けて配置することができる。
【００３２】
図９と図１０は、角度計２０を正面側から見た図であり、図９は、チャイルドシートを座席に設置する前の状態における角度計の表示例を示しており、図１０は、チャイルドシートの角度調整して座席に正しく設置した状態における角度計の角度表示例を示している。
図１１は、角度計付きのチャイルドシート１０のベース部１１の第１側面１１Ａ側の例を示しており、図１２は、第２側面１１Ｂ側の例を示している。
図１１では、第１側面１１Ａ側に角度計２０が配置されている。図１２では、第２側面１１Ｂ側に角度計２０が配置されている。
【００３３】
図７と図９および図１０を参照しながら、回転体４１の可動側角度表示部４９と基板４０の基板側角度表示部４７の形状例について説明する。
図９に示すように、基板側角度表示部４７は、基板４０の中心線ＣＬを中心として、中心点ＣＰから見て少なくとも次のような形状になっている。
すなわち、基板側角度表示部４７の形状の例では、中心点ＣＰから見て少なくとも半径方向外側部分４７Ａが、内側部分４７Ｂに比べて、中心点ＣＰを中心とする円周方向に拡げて形成されていることが特徴的である。外側部分４７Ａは、略扇形形状になっていて、図７と図９に示すように、その形成角度はθ１で示している。このため、中心点ＣＰから半径方向に向かって延びる内側部分４７Ｂの中心点ＣＰを中心とする形成角度は、外側部分４７Ａの形成角度θ１よりも小さく設定されている。
【００３４】
基板側角度表示部４７は固定側角度表示部ともいう。これに対して、図７と図９に示すように可動側角度表示部４９は、中心穴５１の中心点、すなわち中心点ＣＰを中心として中心点ＣＰから見て少なくとも半径方向外側部分４９Ａが、内側部分４９Ｂに比べて円周方向に拡げて形成されている。つまり、外側部分４９Ａは略扇形形状に形成されていて、その形成角度はθ２で示している。外側部分４９Ａの形成角度θ２に比べて、中心点ＣＰから半径方向に向かって延びる内側部分４９Ｂの形成角度は小さく設定されている。
【００３５】
しかも、基板側角度表示部４７の外側部分４７Ａの形成角度θ１は、可動側角度表示部４９の外側部分４９Ａの形成角度θ２に比べてやや大きく設定されている。一例として形成角度θ１が形成角度θ２に比べて約１０度の角度だけ大きくなっている。
これにより、たとえば図１０に示すように、基板側角度表示部４７と可動側角度表示部４９が重なった状態では、左右に角度θ３の分だけ基板側角度表示部４７の側部４７Ｅ，４７Ｅが可動側角度表示部４９の側部４９Ｆ，４９Ｆに対して外側に位置するようになっている。この角度θ３は、たとえば各角度表示部４７，４９の端部からそれぞれ約５度である。
【００３６】
このように、基板側角度表示部４７または可動側角度表示部４９の少なくとも一方となる、中心点ＣＰから見て少なくとも半径方向外側部分４７Ａまたは４９Ａが、内側部分４７Ｂ，４９Ｂに比べて円周方向に拡げて形成され、かつ各角度表示部４７，４９が重なった状態では左右に角度θ３分だけのクリアランスが生じるように、一方の角度表示部４７，４９が幅広に構成されていれば良い。
また、図９や図１０に示されるように、基板側角度表示部４７の外側部分４７Ａは可動側角度表示部４９の外側部分４９Ａよりも、半径方向外側に対しても僅かに大きく形成されている。
【００３７】
次に、図１１と図１２を参照しながら、第１位置決め部９１と第２位置決め部９２について説明する。
第１位置決め部９１は、ベース部１１側のけがき線とも呼んでおり、第２位置決め部９２は角度計２０側の表示線とも呼んでいる。
なお、各位置決め部９１，９２は、けがき線や表示線ではなく、凹凸部や矢印などによる表示で構成しても良い。
第１位置決め部９１と第２位置決め部９２は、角度計２０をベース部１１に対して正しい回転方向Ｒの角度位置で配置して固定できるようにするための位置決め用の目印である。
このような第１位置決め部９１と第２位置決め部９２が設けられていることにより、チャイルドシートを製造する際に第１位置決め部９１と第２位置決め部９２を合わせることにより、製造作業者はたとえばベース部１１の第１側面１１Ａあるいは第２側面１１Ｂに対して回転方向Ｒに関して正しい角度位置で角度計２０を配置して固定することができる。
【００３８】
第１位置決め部９１は、図１１に示すように、座席部１３の背面部２１の基準線ＢＬと所定角度を保つように略平行に形成されている。この背面部２１は、ベース部１１の底面部１１Ｃに対して角度αを形成している。この角度αは、乳幼児を乗せる際に座席に対して形成される好ましい角度であり、たとえば４５度である。このように、図１１と図１２に示すように第１位置決め部９１は、背面部２１に対して平行に形成されている。
【００３９】
第２位置決め部９２は、図７と図９に示すようにたとえば基板４０の一方の側面４５側に表示線として形成されている。第２位置決め部９２の一方は、好ましくは基板側角度表示部４７の外側部分４７Ａの一端部４７Ｅに近い位置に略平行に形成されている。もう１つの第２位置決め部９２は、一方の第２位置決め部９２に対して中心点ＣＰを中心として反対側に形成されている。この第２位置決め部９２は基板４０の直径方向に沿っている。
【００４０】
また、図１２に示すように、ベース部１１の第２側面１１Ｂには、第１位置決め部９１が形成されているが、この第１位置決め部９１は、たとえば背面部２１の基準線ＢＬとは直交する方向である。
【００４１】
次に、上述した構造の角度計付きのチャイルドシート１０の設置作業例について説明する。
角度計２０は、たとえば図１に示すようにベース部１１の第１側面１１Ａに対して所定の位置に配置して固定されている。図１１（Ａ）では、角度計付きのチャイルドシート１０が右側の座席１９に対して設置される前の状態の例を示している。
この場合には、図９に示すように、回転体４１は、おもり５３の作用によりおもり５３が下側に位置していて、可動側角度表示部４９は上側に位置している。これに対して、基板４０の基板側角度表示部４７は、可動側角度表示部４９の中心に対して略反時計方向ＣＷ方向に関して略４５度傾いた位置に位置している。この状態では、第２位置決め部９２は、可動側角度表示部４９の中央と中心点ＣＰを結ぶ線上にあり、表示線である。
【００４２】
設置作業者が、図１１（Ａ）に示す状態から時計方向ＣＷに回して図１１（Ｂ）に示すように角度計付きのチャイルドシート１０のベース部１１を後ろ側の座席１９の座面に対して載せて設置しようとする場合には、図１０に示すように可動側角度表示部４９と基板側角度表示部４７が略重なるように角度計付きのチャイルドシート１０の角度を調整する。
この場合に、設置作業者は、図１０に示すように可動側角度表示部４９の両側の端部が、基板側角度表示部４７の両側の端部に対して角度θ３ずつ開くように、つまり、基板側角度表示部４７の範囲内に可動側角度表示部４９が入るように、図１０と図１１（Ｂ）に示すように角度計付きのチャイルドシート１０を設置すれば良い。
この時、各位置決め部９１，９２は約４５度の角度となるよう配置されているため、各角度表示部４７，４９だけでなく、各位置決め部９１，９２の位置によっても正しい設置を行えているかについての確認を行うにあたっての参考することができる。
【００４３】
つまり、一般にベビーシートと呼ばれるチャイルドシートは背面部の角度が路面に対して４５度となるような角度で取り付けるのが好ましく、その取り付け角度の許容差を前後５度の範囲に留める事が好ましい。しかし、その設置作業者は角度計の表示部で前後５度つまり１０度の範囲内での調整、言いかえれば可動板の回転範囲の１／３６の範囲内に設置できるよう調整を求められることとなり、限られた姿勢で設置する作業者にとって、難易度の高い微調整が必要な印象を与える事になる。
しかし、このように、設置作業者は、可動側角度表示部４９と基板側角度表示部４７を視認により角度設定が的確にしかも容易に行えるので、チャイルドシートの設置作業が簡単かつ確実に行える。
しかも、基板側角度表示部４７および可動側角度表示部４９はともに中心点から見て少なくとも半径方向外側部分が内側部分に比べて円周方向に拡げて形成されている。このことから、設置作業者は、従来の角度計と異なり、広い表示面を側方から視認することで、基板側角度表示部４７の範囲内に含まれるよう、可動側角度表示部４９を配置するのみで、言い換えれば基板側角度表示部４７の外側部分と、可動側角度表示部４９の外側部分の間に生じる左右の隙間の角度θ３を回転体４１を通じて基板４０側を透視して確認するだけで済むので、図１１（Ｂ）に示すように角度計付きのチャイルドシート１０を設置する際の角度設定を視認しやすくなる。このことから設置作業者は、適切な角度でチャイルドシートの角度設定が行え、チャイルドシートの設置が行いやすい。
【００４４】
図１１に示すように、ベース部１１の第１側面１１Ａに対して角度計２０を設置すれば、たとえば図４に示すように設置作業者は右側のドアを開けてチャイルドシートを角度を視認しながらチャイルドシート１０を座席１９に設置しやすくなる。
また図１２に示すように、ベース部１１の第２側面１１Ｂに対して角度計２０を設置すれば、図５あるいは図３に示すように左側のドアを開けた状態でチャイルドシート１０を角度を視認しながら的確にチャイルドシートを座席１９に設置できる。
【００４５】
他の実施形態
図１３は、角度計の別の実施形態を示している。
図１３に示す角度計２０が、図８に示す角度計２０の構造と異なるのは、着脱部１００を備えていることである。着脱部１００は、図８に示す取り付け手段７５の一種であり、着脱部１００は突起状の部材である。着脱部１００は、第１側面１１Ａあるいは第２側面１１Ｂに形成された穴１１Ｅに対してはめ込むことにより、角度計２０は着脱可能に選択的に固定するようになっている。
【００４６】
図１４は、この突起状の着脱部１００の形成配置例を示している。
着脱部１００は、基板４０の外側の側面７３に突出して形成されていて、たとえば３つの着脱部１００が設けられている。この着脱部１００は、たとえば二等辺三角形の頂点にそれぞれ配置されている。
もしも、着脱部１００が正三角形の頂点に配置されていると、回転方向Ｒに関して取り付け角度を間違えて、穴１１Ｅに固定してしまう恐れがある。このように図１４における３つの着脱部１００は、角度計２０を回転方向について正しい角度位置に配置するための配置位置角度確定部を有していることになる。
配置位置角度確定部１１０の存在により、角度計２０は、円周方向もしくは回転方向Ｒに関する配置位置を制限して、角度計２０の配置位置を確実に確定することができる。したがって、角度計の回転方向Ｒに関する取り付け間違いを起こすことがなくなる。
【００４７】
このような着脱部１００による配置位置角度確定部の構造例としては、図１５（Ａ）と図１５（Ｂ）のような構造例も採用できる。図１５（Ａ）では、着脱部１００がたとえば二等辺三角形状を形成していて、この二等辺三角形上に着脱部１００が配置位置角度確定部１１０を構成している。同様にして図１５（Ｂ）では、たとえばＤ形状を有していて、やはりこの着脱部１００は配置位置角度確定部１１０の機能を有している。
しかし、配置位置角度確定部１１０は、他の構造であってもよい。
【００４８】
なお、角度計２０に形成された配置位置角度確定部１１０に対応する、チャイルドシート１０側に形成された配置位置角度確定部である穴１１Ｅは、ベース部１１または座席部１３の側面１１Ａ，１１Ｂ，１３Ａ，１３Ｂのいずれかに形成されていれば良い。
また、設置位置に応じた選択性を持たせるためにも、配置位置角度確定部である穴１１Ｅは、チャイルドシート１０両側面に形成されていることが好ましい。
【００４９】
図１６乃至図２１は、それぞれ本発明の角度計のさらに別の実施形態を示している。
図１６の角度計２０では、可動側角度表示部２４９の外側部分と、基板側角度表示部２４７の外側部分が、ともに略ハート型形状になっており、正しく設置された状態において、基板側角度表示部２４７の内周に沿って可動側角度表示部２４９が配置されるよう構成されている。
【００５０】
また、図１６（Ｂ）に示されるように、各角度表示部２４７，２４９の中央が中心点ＣＰに向かって窪んだ窪み部２４７ａ，２４９ａとされている。そのため、基板側角度表示部２４７に可動側角度表示部２４９が配置されたことの把握が、窪み部２４７ａ，２４９ａによっても把握できるため、正確に角度の調整を行いやすい。さらに、図１１（Ａ）に示されるようにチャイルドシート１０の設置する前の状態に配置した場合に、第２位置決め部９２が可動側角度表示部２４９の窪み部２４９ａに配置されたことを明確に把握することができる。
【００５１】
図１７に示す角度計２０では、可動側角度表示部３４９の外側部分と基板側角度表示部３４７の外側部分の半径方向に関する幅が、図７の実施形態に比べるとやや小さく設定されている。また、可動側角度表示部３４９の外側部分であって略中央部に凹部４００が形成されており、基板側角度表示部３４７の外側部分であって略中央部に凸部４０１が形成されている。この凹部４００と凸部４０１が位置合わせできることにより、チャイルドシートの設置時の角度がより分かりやすくなる。
【００５２】
図１８に示す角度計２０では、可動側角度表示部４４９が、２箇所が離間して配置されており、２つの手の平形状になっている。これに対して、基板側角度表示部４４７は、ハート型形状になっており、ハート型の基板側角度表示部４４７の領域内で膨らんだ外側部分に、手の平形状の可動側角度表示部４４９が配置されるように模式的に構成されている。このことから、例え離間していた場合においても、可動側角度表示部４４９は、中心点を中心として外側部分が円周方向に拡げて形成されている。同様にしてハート型の基板側角度表示部４４７についても、中心点から見て半径方向外側部分が円周方向に拡げて形成されている。
【００５３】
同様に、図１９に示す角度計２０では、可動側角度表示部４４９が透明とされて、キャラクターの目と耳の輪郭を示す形状になっており、計４箇所形成されている。この時、可動側角度表示部４４９以外の回転体４１は半透明に構成されている。
これに対して、基板側角度表示部４４７は、対応する目と耳の形状になっており、僅かに可動側角度表示部４４９よりも小さく構成されて、正しく設置された状態において、透明とされた可動側角度表示部４４９から見える形態とされている。
このことから、可動側角度表示部４４９および基板側角度表示部４４７ともに、中心点を中心として半径方向外側部分が円周方向に拡げて形成されていることとなる。
【００５４】
図２０に示す角度計２０の実施形態では、可動側角度表示部５４９の外側部分が円周方向に拡げて形成されている。これに対して、基板側角度表示部５４７は、やはり中心点を中心として半径方向外側部分が略扇形に形成されているが、外側部分５４７Ａのみが形成されている。
この時、回転体４１は透明とされており、可動側角度表示部５４９は着色などによって基板４０側が見えないよう構成されており、図２０に示されるように正しく配置された状態において、基板側角度表示部５４７が可動側角度表示部５４９によって隠れる形態とされている。
図２１に示す角度計２０の実施形態では、図２０のものと比較して、中心点ＣＰ近傍のデザインが異なる。また、基板側角度表示部５４７が可動側角度表示部５４９よりも外側のみに形成されている。各角度表示部５４７，５４９をこのような関係に配置しても、同様に優れた視認性を有し、装着を行いやすい。
【００５５】
図２２と図２３は、角度計２０のさらに別の実施形態を示している。
図２２と図２３に示す角度計２０は、図６乃至図８に示す角度計２０に比べて、次の点が異なる。
図２２と図２３の角度計２０は、基板５４０が透明の材料により作られた円形状の部材になっている。これに対して、回転体５４１はやはり円形状の部材であるが、透明であっても不透明であっても半透明であっても構わない。回転体５４１の構造は図７に示す回転体４１の構造と略同じであり、可動側角度表示部４９を有している。
【００５６】
ケース５４３はたとえば透明ケースであっても不透明ケースであっても半透明ケースであっても良い。ケース５４３と基板５４０の中には、回転盤５４１が中心線ＣＬを中心として回転可能に回転支持手段７１により支持されている。
ケース５４３の内側には取り付け部分５６５が形成されている。回転盤５４１はその中心に中心穴５１を有している。基板５４０の中心には、軸部６１が突出して形成されている。軸部６１は回転体５４１の中心穴５１とブッシュ２６３の穴を通り、取り付け部分５６５に挿入されていて、ブッシュ２６３と中心穴５１が回転支持手段を形成している。
【００５７】
基板側角度表示部４７は、基板５４０に形成されている。第２位置決め部９２は、基板５４０に形成されている。
図２２に示すように取り付け手段７５は、ケース５４３の外側の側面５７０に対して設けられている。この取り付け手段７５は、たとえば両面テープであり、側面１１Ａあるいは１１Ｂに対して角度計２０を取り付けるようになっている。
この例では、設置作業者は、基板５４０を通じて回転体５４１を透視することで、チャイルドシートの設置角度が的確に視認できる。つまり、基板５４０は基板側角度表示部４７を除いて例えば半透明とされており、可動側角度表示部４９の外形を外観から視認可能とされている。
【００５８】
上述した各実施形態において、たとえば図７に示す基板側角度表示部４７の形成角度θ１は、たとえば略９０度であるのが望ましい。したがって、可動側角度表示部４９の形成角度θ２は、９０度より１０度小さい８０度であるのが望ましい。
しかし形成角度θ１，θ２の角度は、これに限らず他の角度であっても勿論構わず、この形成角度θ１は、６０度乃至１２０度が望ましい。
形成角度θ１が６０度よりも小さいと、チャイルドシートの設置時に設置角度の視認がしにくく、設置者に対して細かな調整操作が必要な印象を与えることとなる。また形成角度θ１が１２０度よりも大きいとやはりチャイルドシートの設置時に調整する範囲が広すぎるため、相対的な位置の把握が困難となり設置角度の視認性が下がる。
【００５９】
これにより、チャイルドシートの設置作業者は、座席部またはベース部の一方の側面に設けられた角度計を簡単に見ることができる。そして、チャイルドシートの設置作業者は、回転体の可動側角度表示部と、基板の基板側角度表示部の回転方向に関する重なり具合を視認するだけで、簡単にチャイルドシートの座席に対する設置時の角度を認識することができる。
つまり、設置作業者は、基板側角度表示部と、この基板側角度表示部と略同等の範囲に形成されている可動側角度表示部との重なり合いを、広い範囲とされた表示部を透視しながら確認することにより、チャイルドシートの角度を確実かつ簡単に視認することができる。このことから、チャイルドシートの設置が適切な角度で容易に行うことができる。
【００６０】
また、角度計をチャイルドシートに装着する場合、角度計を座席部の側面またはベース部の側面に配置する際に、第１位置決め部と第２位置決め部が一致するようにすればよいので、角度計は座席部の側面またはベース部の側面に対して簡単かつ確実に位置決めして配置できる。しかも、基板側角度表示部の一方の端部が第２位置決め部の近傍に配置されている。
このことから、角度計付きのチャイルドシートを製造する際に、チャイルドシートに対して角度計を配置する場合に、角度計はチャイルドシートに対して正確に回転方向に関して製造作業者の目視により確実に配置することができると共に、設置者にとっても設置時の角度の参考とすることができる。
【００６１】
角度計が配置位置角度確定部を有していると、角度計は、チャイルドシートに対して、回転方向に関して正しい配置位置に確実に配置することができ、角度計は誤った配置位置に着脱可能に配置されるのを確実に防ぐことができる。
しかも、角度計は、ベース部または座席部の一方の側面または他方の側面の少なくとも一方に対して着脱部を用いて着脱可能に配置できる。このことから、座席に対してチャイルドシートの向きに応じて、チャイルドシートの設置作業者はチャイルドシートの見やすい部位に角度計を付け替えることができるので、角度計の視認性を上げてチャイルドシートの設置作業時の角度の設定作業を容易にすることができる。
【００６２】
図示の例では、角度計２０がベース部の第１側面１１Ａ、第２側面１１Ｂのいずれか一方もしくは両方に配置する例を示している。しかしこれに限らず図１と図２に示すチャイルドシート１０の座席部１３の第１側面１３Ａもしくは第２側面１３Ｂもしくはいずれの側面においても設置することも可能である。
図示例では、車両として乗用車を例に挙げているが、これに限らず、他の種類の車両、あるいは他の分野の車両の座席に対しても、本発明の角度計付きチャイルドシートは適用できる。
【００６３】
本発明は、上記実施形態に限定されず、特許請求の範囲を逸脱しない範囲で種々の変更を行うことができる。
上記実施形態の各構成は、その一部を省略したり、上記とは異なるように任意に組み合わせることができる。
【００６４】
【発明の効果】
以上説明したように、本発明によれば、チャイルドシートの設置作業者が、チャイルドシートの角度を的確かつ容易に視認しながら、チャイルドシートを座席に対して確実に設置することができる。
【図面の簡単な説明】
【図１】本発明の角度計付きのチャイルドシートの好ましい実施形態を示す斜め前側から見た斜視図。
【図２】図１の角度計付きのチャイルドシートの斜め後ろから見た斜視図。
【図３】角度計付きのチャイルドシートを座席部に設置した例を示す斜視図。
【図４】角度計付きのチャイルドシートを別の座席部に設置した例を示す斜視図。
【図５】角度計付きのチャイルドシートを座席部に設置した例を示す斜視図。
【図６】角度計の組み立て完成例を示す斜視図。
【図７】角度計の構造を示す分解斜視図。
【図８】角度計の断面構造を示す図。
【図９】角度計付きのチャイルドシートが座席部に設置される前の状態における表示例を示す角度計の正面図。
【図１０】角度計付きのチャイルドシートが座席部に正しい設置角度で設置された状態における表示例を示す角度計の正面図。
【図１１】角度計付きのチャイルドシートが座席部に設置される前と座席部に正しい設置角度で設置された状態を示す図。
【図１２】図１１とは反対側を示しておりチャイルドシートは座席部に設置される前の状態と座席部に正しい設置角度で設置された状態を示す図。
【図１３】本発明の角度計の別の実施形態を示す断面図。
【図１４】図１３の角度計の着脱部の配置例を示す図。
【図１５】図１４とは別の着脱部の配置例を示す図。
【図１６】本発明の角度計の表示例の別の実施形態を示す図。
【図１７】本発明の角度計の表示例の別の実施形態を示す図。
【図１８】本発明の角度計の表示例の別の実施形態を示す図。
【図１９】本発明の角度計の表示例の別の実施形態を示す図。
【図２０】本発明の角度計の表示例の別の実施形態を示す図。
【図２１】本発明の角度計の表示例の別の実施形態を示す図。
【図２２】本発明の角度計のさらに別の実施形態を示す断面図。
【図２３】図２２の角度計の構造例を示す分解斜視図。
【符号の説明】
１０・・・角度計付きのチャイルドシート、１１・・・ベース部、１１Ａ・・・ベース部の第１側面、１１Ｂ・・・ベース部の第２側面、１３・・・座席部、２０・・・角度計、４０・・・基板、４１・・・回転体、４３・・・透明ケース、４７・・・基板側角度表示部、４９・・・可動側角度表示部、５３・・・おもり、７１・・・回転支持手段、θ１・・・基板側角度表示部の形成角度、θ２・・・可動側角度表示部の形成角度
【図１】
2005022532.tif 000003
【図２】
2005022532.tif 000004
【図３】
2005022532.tif 000005
【図４】
2005022532.tif 000006
【図５】
2005022532.tif 000007
【図６】
2005022532.tif 000008
【図７】
2005022532.tif 000009
【図８】
2005022532.tif 000010
【図９】
2005022532.tif 000011
【図１０】
2005022532.tif 000012
【図１１】
2005022532.tif 000013
【図１２】
2005022532.tif 000014
【図１３】
2005022532.tif 000015
【図１４】
2005022532.tif 000016
【図１５】
2005022532.tif 000017
【図１６】
2005022532.tif 000018
【図１７】
2005022532.tif 000019
【図１８】
2005022532.tif 000020
【図１９】
2005022532.tif 000021
【図２０】
2005022532.tif 000022
【図２１】
2005022532.tif 000023
【図２２】
2005022532.tif 000024
【図２３】
2005022532.tif 000025